(57)【要約】 【課題】狭額縁化を図ることができる映像表示装置を提供する。【解決手段】一つの実施形態によれば、映像表示装置は、開口部が設けられた筐体と、前記筐体に収容され、前記開口部から露出される表示画面を有した表示パネルと、前記表示パネルの背後に設けられ、複数の発光部が取り付けられた基板と、前記複数の発光部の間の位置に電源を供給するコネクタとを備える。【選択図】図６
2015072373.tif 000002
【特許請求の範囲】
【請求項１】
開口部が設けられた筐体と、
前記筐体に収容され、前記開口部から露出される表示画面を有した表示パネルと、
前記表示パネルの背後に設けられ、複数の発光部が取り付けられた基板と、
前記複数の発光部の間の位置に電源を供給するコネクタと、
を備えた映像表示装置。
【請求項２】
請求項１の記載において、
前記コネクタは、前記複数の発光部の間の位置で前記基板に取り付けられた映像表示装置。
【請求項３】
請求項１または請求項２の記載において、
前記コネクタを覆う光反射性を有したコネクタカバーをさらに備えた映像表示装置。
【請求項４】
請求項３の記載において、
前記コネクタカバーは、合成樹脂製であり、前記基板に着脱可能に取り付けられた映像表示装置。
【請求項５】
請求項４の記載において、
前記基板は、前記複数の発光部が取り付けられた第１面と、該第１面とは反対側に位置した第２面とを有し、
前記コネクタカバーは、前記基板の第２面に掛かる掛かり部を有した映像表示装置。
【請求項６】
請求項５の記載において、
前記複数の発光部及び前記コネクタが通される複数の穴が設けられ、前記表示パネルと前記基板との間に位置した反射シートをさらに備えた映像表示装置。
【請求項７】
請求項６の記載において、
前記コネクタカバーは、前記穴に通されて前記コネクタを覆う第１部分と、前記基板の第１面に沿って延びて前記第１部分と前記穴の内周縁との間の隙間を前記表示パネルとは反対側から覆う第２部分とを有した映像表示装置。
【請求項８】
請求項３乃至請求項７のいずれかの記載において、
前記コネクタに接続されたケーブルをさらに備え、
前記コネクタカバーは、前記ケーブルの端部を覆う映像表示装置。
【請求項９】
請求項８の記載において、
前記コネクタカバーは、前記基板の幅よりも大きく、前記基板を外れた位置で前記表示パネルとは反対方向に開口して前記ケーブルが通される開口部を有した映像表示装置。
【請求項１０】
請求項３乃至請求項９のいずれかの記載において、
前記コネクタカバーの反射率は、前記コネクタの反射率よりも高い映像表示装置。
【請求項１１】
請求項１乃至請求項１０のいずれかの記載において、
前記基板の背後に位置した金属部材をさらに備え、
前記金属部材は、前記基板を支持する支持部を有し、
前記基板は、前記支持部が掛かる非導体パターン部を有し、
前記コネクタは、前記複数の発光部の一つと前記非導体パターン部との間に位置した映像表示装置。
【請求項１２】
請求項１乃至請求項１０のいずれかの記載において、
前記基板の背後に位置した保持部材をさらに備え、
前記保持部材は、前記基板に向いて突出した突起を有し、
前記基板は、前記突起が通される位置決め孔を有し、
前記コネクタは、前記複数の発光部の一つと前記位置決め孔との間に位置した映像表示装置。
【発明の詳細な説明】
【技術分野】
【０００１】
本発明の実施形態は、映像表示装置に関する。
【背景技術】
【０００２】
開口部が設けられた筐体と、前記開口部から露出される表示パネルとを有した映像表示装置が提供されている。
【先行技術文献】
【特許文献】
【０００３】
【特許文献１】特開２０１２−２８０４３号公報
【発明の概要】
【発明が解決しようとする課題】
【０００４】
映像表示装置は、狭額縁化が要望されている。
【０００５】
本発明の目的は、狭額縁化を図ることができる映像表示装置を提供することである。
【課題を解決するための手段】
【０００６】
実施形態によれば、映像表示装置は、開口部が設けられた筐体と、前記筐体に収容され、前記開口部から露出される表示画面を有した表示パネルと、前記表示パネルの背後に設けられ、複数の発光部が取り付けられた基板と、前記複数の発光部の間の位置に電源を供給するコネクタとを備える。
【図面の簡単な説明】
【０００７】
【図１】一つの実施形態に係る映像表示装置を示す図。
【図２】図１中に示されたテレビ本体を示す分解斜視図。
【図３】図２中に示されたＬＥＤバーとバックシャーシを示す正面図。
【図４】図３中に示されたＬＥＤバーとコネクタを示す斜視図。
【図５】図２中に示されたＬＥＤバーと反射シートを示す正面図。
【図６】本実施形態に係るＬＥＤバーとコネクタカバーを示す斜視図。
【図７】図６中に示されたコネクタカバーを示す斜視図。
【図８】本実施形態に係るコネクタとコネクタカバーを示す断面図。
【図９】本実施形態に係るコネクタカバーと反射シートを示す斜視図。
【図１０】図６中に示されたコネクタカバーを示す背面図。
【図１１】一つの変形例に掛かるＬＥＤバーとコネクタを示す斜視図。
【発明を実施するための形態】
【０００８】
以下、実施の形態について、図面を参照して説明する。
【０００９】
なお本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【００１０】
図１乃至図１１は、一つの実施形態に係るテレビジョン受像機１を示す。テレビジョン受像機１は、「映像表示装置」、「電子機器」のそれぞれ一例である。なお、本発明が適用可能な「映像表示装置」及び「電子機器」は、テレビジョン受像機に限らず、例えばモニターやその他の種々の映像表示装置及び電子機器に広く適用可能である。
【００１１】
図１に示すように、テレビジョン受像機１は、スタンド２及びテレビ本体３を備えている。スタンド２は、例えばテレビ台の上に置かれる脚部（支持部）である。テレビ本体３は、スタンド２に支持され、例えばテレビ台の上で起立する。なお、テレビジョン受像機１は、スタンド２を有しない壁掛けタイプでもよい。
【００１２】
図２に示すように、テレビ本体３は、フロントベゼル１１、液晶パネル１２、ミドルフレーム１３、複数の光学シート１４、拡散板１５、バックライトユニット１６、バックシャーシ１７、複数の回路基板１８ａ，１８ｂ、及びユニットカバー１９を有する。
【００１３】
本実施形態では、例えばフロントベゼル１１とユニットカバー１９とで筐体２１の一例が構成されている。筐体２１は、例えば偏平な四角い箱状に形成されている。筐体２１は、液晶パネル１２、ミドルフレーム１３、複数の光学シート１４、拡散板１５、バックライトユニット１６、バックシャーシ１７、及び複数の回路基板１８ａ，１８ｂを収容している。なおこれに代えて、フロントベゼル１１、ミドルフレーム１３、及びバックシャーシ１７で筐体の一例が構成されてもよい。
【００１４】
フロントベゼル１１（フロントカバー）は、例えば合成樹脂製である。フロントベゼル１１は、液晶パネル１２の全周縁に沿う枠状に形成されている。フロントベゼル１１は、液晶パネル１２を露出させる比較的大きな開口部１１ａが設けられている。フロントベゼル１１は、例えば筐体２１の前壁２１ａと、周壁２１ｂの一部とを形成し、露出している。
【００１５】
液晶パネル１２（液晶セル）は、「表示パネル」の一例である。液晶パネル１２は、２枚のガラス基板と、これら２枚のガラス基板の間に挟まれた液晶層と、偏光板（偏光フィルタ）とを含む。従来の液晶パネルのように、ガラス基板、液晶層、偏光板などがバラバラにならないようにする液晶フロントベゼル（不図示）は本発明にはない。液晶パネル１２は、筐体２１の開口部１１ａから露出される表示画面１２ａ（画像形成領域）を有する。なお本実施形態でいう「表示画面」とは、開口部１１ａの内側に位置した領域である。液晶パネル１２は、バックライトユニット１６から光を受けて、表示画面１２ａに画像や映像を表示する。
【００１６】
ミドルフレーム１３は、例えば合成樹脂製である。または、ミドルフレーム１３は、金属性の材料でもよい。ミドルフレーム１３は、液晶パネル１２の全周縁に沿う枠状に形成されている。液晶パネル１２の周端部は、フロントベゼル１１の内面とミドルフレーム１３との間に挟まれて保持される。
【００１７】
複数の光学シート１４は、例えば２枚のプリズムシートと、１枚の偏光シートとを含む。複数の光学シート１４及び拡散板１５は、液晶パネル１２の背後に設けられている。すなわち、複数の光学シート１４及び拡散板１５は、液晶パネル１２とバックライトユニット１６との間に位置する。
【００１８】
バックライトユニット１６は、液晶パネル１２と、バックシャーシ１７との間に位置する。バックライトユニット１６は、液晶パネル１２に向けて光を放つ。なお、バックライトユニット１６の構成については、詳しく後述する。
【００１９】
バックシャーシ１７（バックベゼル、第１バックカバー）は、例えば金属製である。または、バックシャーシ１７は、合成樹脂製の材料でもよい。バックシャーシ１７は、「金属部材」、「保持部材」及び「補強部材」の一例である。バックシャーシ１７は、例えば前面が窪んだ椀状に形成されている。バックシャーシ１７は、バックライトユニット１６の背後に位置し、バックライトユニット１６の背面の全域を覆う。バックシャーシ１７は、フロントベゼル１１及びミドルフレーム１３に組み合わされて固定される。バックシャーシ１７が設けられることで、筐体２１の強度（剛性）が向上している。
【００２０】
複数の回路基板１８ａ，１８ｂは、バックシャーシ１７の背後に位置する。すなわち、複数の回路基板１８ａは、バックシャーシ１７とユニットカバー１９との間に位置する。複数の回路基板１８ａ，１８ｂは、液晶パネル１２を制御する制御基板１８ａ（駆動基板）と、バックライトユニット１６に電源を供給する電源基板１８ｂ（電源回路基板）とを含む。なお、電源基板１８ｂは、例えばバックライトユニット１６の発光を制御する制御基板の機能を兼ね備えたものでもよい。
【００２１】
ユニットカバー１９（第２バックカバー）は、例えば合成樹脂製である。または、ユニットカバー１９は、金属製の材料であってもよい。ユニットカバー１９は、前面が窪んだ椀状に形成され、バックシャーシ１７の背後に位置して複数の回路基板１８ａ，１８ｂを後方から覆う。ユニットカバー１９は、フロントベゼル１１、ミドルフレーム１３、バックシャーシ１７の少なくともいずれか一つに組み合わされて固定される。ユニットカバー１９は、例えば筐体２１の後壁２１ｃと、周壁２１ｂの一部とを形成する。
【００２２】
次に、本実施形態のバックライトユニット１６について詳しく説明する。  
図２に示すように、バックライトユニット１６は、複数（例えば７〜９本）のＬＥＤバー２３と、反射シート２４とを有する。
【００２３】
ＬＥＤバー２３は、「発光モジュール」の一例である。ＬＥＤバー２３は、細長い基板３１（配線板、プリント配線板）と、該基板３１に取り付けられた複数のＬＥＤ３２（ＬＥＤ部品、発光部品）とを有する。基板３１には、複数のＬＥＤ３２を電気的に接続する配線パターン３３が設けられている。なお、配線パターン３３は、絶縁層に覆われて保護されている。基板３１の表面は、例えば高い光反射性を有するように白色に塗装されている。
【００２４】
図２及び図３に示すように、ＬＥＤバー２３（基板３１）は、略水平方向に表示画面１２ａの略全幅に延びている。複数のＬＥＤバー２３は、略鉛直方向に隙間を空けて互いに略平行に並べられている。なお、複数のＬＥＤバー２３は、略鉛直方向に立てて並べられてもよい。
【００２５】
図４に示すように、基板３１は、第１面３１ａと、該第１面３１ａとは反対側に位置した第２面３１ｂとを有する。第１面３１ａは、液晶パネル１２に向いている。複数のＬＥＤ３２は、第１面３１ａに取り付けられている。一方で、第２面３１ｂは、バックシャーシ１７に面する。
【００２６】
ここで、図４に示すように、バックシャーシ１７は、基板３１を支持する支持部３５を有する。支持部３５は、例えば基板３１の第１面３１ａに掛かる掛かり部（係合部、爪部）である。支持部３５は、例えば逆Ｕ字状の切欠き部をバックシャーシ１７に形成し、その切欠き部の下部をバックシャーシ１７に連結させたまま、切欠き部の内側全体を前側（液晶パネル１２側）に押し出すことで形成されている。
【００２７】
図４に示すように、基板３１は、バックシャーシ１７の支持部３５が掛かる（接する）受け部３６を有する。受け部３６は、「非導体部」、「非導体パターン部」の一例である。受け部３６は、金属製の支持部３５が導通しないように、配線パターン３３が迂回した領域（配線パターン３３が存在しない領域）である。基板３１は、支持部３５とバックシャーシ１７の前面との間に挿入され、支持部３５とバックシャーシ１７の前面とによって支持される。支持部３５及び受け部３６は、基板３１の長手方向に沿って複数箇所設けられている。
【００２８】
ＬＥＤ３２は、「発光部」の一例である。複数のＬＥＤ３２は、所定の間隔を互いに空けて基板３１の長手方向に並べられている。ＬＥＤ３２は、発光素子３８（ＬＥＤ素子）と、該発光素子３８を覆うレンズ３９とを含む。レンズ３９は、例えば扁平な半球状に形成されている。
【００２９】
次に、ＬＥＤバー２３に設けられたコネクタ４１について詳しく説明する。  
図３及び図４に示すように、コネクタ４１は、複数のＬＥＤ３２と並んで、基板３１の第１面３１ａに取り付けられている。コネクタ４１は、電源基板１８ｂに電気的に接続されるケーブル４２が接続され、基板３１に電源を供給する。コネクタ４１は、基板３１の第１面３１ａに対して、例えばＬＥＤ３２よりも背が高い（図８参照）。コネクタ４１は、基板３１の第１面３１ａに対して、例えばＬＥＤ３２の発光素子３８よりも背が高い。なお、本実施形態では、コネクタ４１は、基板３１の第１面３１ａに対して、例えばＬＥＤ３２のレンズ３９よりも背が高い。
【００３０】
図４に示すように、コネクタ４１は、例えば雌型であり、挿入口が設けられたケース４４と、ケース４４内に設けられた接続端子４５とを有する。一方で、ケーブル４２の端部には、コネクタ４１に挿入される雄型のコネクタ４７が取り付けられている。コネクタ４１とコネクタ４７とが接続されることで、基板３１は、ケーブル４２を介して電源基板１８ｂに電気的に接続される。
【００３１】
コネクタ４１に接続されるケーブル４２は、例えば２本である。なお、例えばバックライトユニット１６を部分的に光らせるなど高度な制御を行うモデルでは、３本以上のケーブル４２（例えば１０本を超えるような本数のケーブル４２）がコネクタ４１に接続される。このため、コネクタ４１は、比較的大型になりやすい。
【００３２】
コネクタ４１は、複数のＬＥＤ３２の間の位置で、基板３１に取り付けられている。コネクタ４１は、例えば互いに隣り合う２つのＬＥＤ３２の間に位置する。本実施形態では、コネクタ４１は、基板３１の一方の端部に最も近い２つのＬＥＤ３２の間に位置する。なお、コネクタ４１の位置は、上記に限らず、基板３１の中央部やその他の領域で、２つのＬＥＤ３２の間に位置してもよい。また本実施形態では、コネクタ４１は、受け部３６（非導体パターン部）と、ＬＥＤ３２との間に位置する。
【００３３】
これにより、本実施形態のコネクタ４１は、表示画面１２ａ（画像形成領域）の裏側に位置する（図１参照）。すなわち、コネクタ４１は、筐体２１の開口部１１ａの内側領域に位置する。なお、「開口部の内側領域」とは、テレビジョン受像機１を正面から見た状態で、開口部１１ａの内側に位置した表示画面１２ａに重なる領域を言う。
【００３４】
図２に示すように、反射シート２４は、液晶パネル１２とＬＥＤバー２３の基板３１との間に位置する。すなわち、反射シート２４は、基板３１の前方に位置する。反射シート２４は、例えば白色の反射面を有し、高い光反射性を有する。
【００３５】
図２及び図５に示すように、反射シート２４は、複数のＬＥＤ３２が個々に通される複数の第１穴５１と、コネクタ４１が通される第２穴５２とを有する。ＬＥＤ３２は、第１穴５１に通されて、反射シート２４の前方に突出する（例えば図９参照）。反射シート２４は、ＬＥＤ３２からの光の一部を液晶パネル１２に向けて反射させる。
【００３６】
ここで、ＬＥＤ３２のレンズ３９と基板３１の第１面３１ａとの間には、僅かな隙間が設けられている。反射シート２４の第１穴５１の縁部は、上記隙間に挿入され、ＬＥＤ３２のレンズ３９と基板３１の第１面３１ａとの間に引っ掛けられる。これにより、反射シート２４がめくれにくくなっている。
【００３７】
一方で、コネクタ４１は、第２穴５２に通されて、反射シート２４の前方に突出する。これにより、比較的背が高いコネクタ４１が基板３１に実装された場合でも、反射シート２４を平面状に保ちやすく、良好な反射性を期待することができる。
【００３８】
次に、コネクタカバー６１について詳しく説明する。  
図６に示すように、本実施形態に係るバックライトユニット１６は、コネクタ４１を覆うコネクタカバー６１を有する。コネクタカバー６１は、例えば白色であり、光反射性を有する。コネクタカバー６１の反射率（光反射率）は、例えば反射シート２４の反射率と略同じである。コネクタカバー６１の反射率は、コネクタ４１の反射率よりも高い。
【００３９】
換言すれば、コネクタカバー６１の表面は、光の反射率が反射シート２４と近似するように形成される。このようなコネクタカバー６１の表面は、コネクタカバー６１を成形する材料を選択して形成してもよく、または成形後にコネクタカバー６１の表面に所定の塗装を施して形成してもよい。
【００４０】
コネクタカバー６１は、例えば合成樹脂製であり、所定の硬さを有して形状が変形しない。コネクタカバー６１は、例えばワンタッチで基板３１に着脱可能に取り付けられる。図７に示すように、コネクタカバー６１は、カバー部６２（第１部分）と、ベース部６３（第２部分）とを有する。カバー部６２は、反射シート２４の第２穴５２に通され、反射シート２４よりも前方に位置する。カバー部６２は、椀状に形成され、上下左右と前方の５方向からコネクタ４１を覆う。
【００４１】
ベース部６３は、カバー部６２の基端部の全周に沿って設けられた鍔部である。ベース部６３は、基板３１に沿う平板状に形成されている。図８に示すように、ベース部６３は、反射シート２４と基板３１との間に位置する。ベース部６３は、基板３１の第１面３１ａに沿って第２穴５２の直径（最大径）よりも大きく広がり、反射シート２４の背面に面する。これにより、図８及び図９に示すように、ベース部６３は、カバー部６２と第２穴５２の内周縁との間の隙間ｇを液晶パネル１２とは反対側から覆う。
【００４２】
図７、図８、図１０に示すように、ベース部６３は、一対の保持部６４（側面ガイド）と、押さえ部６５を有する。一対の保持部６４は、基板３１の幅方向の両側に分かれて位置し、その間に基板３１を挟む。これにより、コネクタカバー６１が基板３１に対して傾くことが抑制され、基板３１に対するコネクタカバー６１の姿勢が安定する。
【００４３】
押さえ部６５は、平板状に形成され、一対の保持部６４の間に位置し、基板３１の第１面３１ａに面する（接する）。一方で、一対の保持部６４のそれぞれ先端部には、掛かり部６６（爪部）が設けられている。掛かり部６６は、基板３１の第２面３１ｂに掛かる。さらに詳しく述べると、一対の保持部６４の掛かり部６６は、基板３１の幅方向の両端部で基板３１の第２面３１ｂに掛かる。これにより、基板３１は、押さえ部６５と掛かり部６６との間に挟まれて保持され、コネクタカバー６１が基板３１から外れなくなる。
【００４４】
図８及び図１０に示すように、ケーブル４２は、コネクタ４１に接続された端部４２ａを有する。コネクタカバー６１は、コネクタ４１に加えて、ケーブル４２の端部４２ａを覆う。すなわち、コネクタカバー６１は、コネクタ４１とケーブル４２との接続部を覆う。
【００４５】
図６、図８、図１０に示すように、コネクタカバー６１は、基板３１の長手方向とは交差した（例えば略直交した）方向に延びている。コネクタカバー６１は、基板３１の幅よりも大きい。すなわち、コネクタカバー６１は、基板３１に面する第１部分６１ａと、基板３１を外れた第２部分６１ｂとを有する。
【００４６】
コネクタカバー６１は、カバー部６２内の収容空間を外部に露出させる開口部６７を有する。すなわち、コネクタ４１及びケーブル４２の端部４２ａは、開口部６７に通されてカバー部６２の内部に収容される。開口部６７は、コネクタカバー６１の背面に開口して、基板３１に面する。開口部６７は、コネクタカバー６１の第１部分６１ａと第２部分６１ｂとに亘って設けられている。すなわち、開口部６７の一部は、基板３１を外れた位置で、液晶パネル１２とは反対方向に向いて開口している。
【００４７】
図８、図１０に示すように、ケーブル４２は、コネクタカバー６１の第２部分６１ｂにおいて、開口部６７からコネクタカバー６１の外部に引き出されている。ここで、図３に示すように、バックシャーシ１７には、ケーブル４２が通される（収められる）溝部７１が設けられている。溝部７１は、バックシャーシ１７において、略鉛直方向に延びた凹部である。溝部７１は、例えば複数のＬＥＤバー２３に亘って延びている。また溝部７１には、バックシャーシ１７を貫通した孔７２が少なくとも一つ設けられている。
【００４８】
各ＬＥＤバー２３のコネクタ４１から延びたケーブル４２は、それぞれ溝部７１に沿って孔７２に向いて延び、孔７２を通ってバックシャーシ１７の背後に出ている。これらケーブル４２は、バックシャーシ１７の背後で、電源基板１８ｂに接続される。
【００４９】
このような構成によれば、テレビジョン受像機１の狭額縁化を図ることができる。  
近年の映像表示装置は、表示画面の大型化を実現するため、開口部を形成するフロントベゼルの狭額縁化が要望されている。しかしながら、例えばＬＥＤバーに取り付けられる電源供給用のコネクタは、ケーブルが接続されるため背が高いことが多く、反射シートで覆いにくい。そのため、電源供給用のコネクタは、反射シートで覆わずにフロントベゼルの裏側に配置されることが一般的である。このため、フロントベゼルの狭額縁化が困難になっている。
【００５０】
一方で、本実施形態に係る映像表示装置（例えばテレビジョン受像機１）は、開口部１１ａが設けられた筐体２１と、筐体２１に収容され、開口部１１ａから露出される表示画面１２ａを有した表示パネル（例えば液晶パネル１２）と、前記表示パネルの背後に設けられ、複数の発光部（例えばＬＥＤ３２）が取り付けられた基板３１と、前記複数の発光部の間の位置に電源を供給するコネクタ４１とを備える。
【００５１】
このような構成によれば、電源供給用のコネクタ４１の位置や大きさに関わらずフロントベゼル１１の狭額縁化を図ることができる。これにより、テレビジョン受像機１の狭額  縁化を図ることができる。
【００５２】
ここで、電源供給用のコネクタ４１は、反射シート２４に比べて反射率（光反射率）が低い。このため、表示画面１２ａの裏側にコネクタ４１を配置した場合、コネクタ４１に対応した部分で表示画面１２ａに暗部（輝度ムラ）が生じる可能性がある。この現象は、ＬＥＤ３２と拡散板１５との間の距離が小さい薄型の映像表示装置で特に生じる可能性がある。
【００５３】
例えばコネクタ４１を覆うように反射シートを貼り付けることも可能である。しかしこの場合、可撓性を有するシートを取り付ける作業の作業性が悪く、また経年変化で剥がれる可能性があるため長期信頼性の面で改善の余地がある。また、コネクタをバックシャーシの背後に配置することも可能である。しかしこの場合は、バックシャーシの背後に設ける別の部品（例えば回路基板）の配置レイアウトに制約が生じてしまう。
【００５４】
そこで、本実施形態では、バックライトユニット１６は、コネクタ４１を覆う光反射性を有したコネクタカバー６１を有する。このような構成によれば、コネクタ４１に対応した部分でも反射率を高めることができ、表示画面１２ａに暗部が生じることを抑制することができる。これにより、テレビジョン受像機１の画質を向上させることができる。また本実施形態によれば、バックシャーシ１７の背後でコネクタ４１が凸部を形成しないので、バックシャーシ１７の背後に設ける別の部品（例えば回路基板）の配置レイアウトに制約を与えにくい。
【００５５】
本実施形態では、コネクタカバー６１は、合成樹脂製であり、ＬＥＤバー２３の基板３１に着脱可能に取り付けられる。このような構成によれば、例えばシートのような部材でコネクタ４１を覆う場合に比べて、コネクタ４１を確実、且つ、容易に覆うことができる。
【００５６】
本実施形態では、基板３１は、前記複数の発光部が取り付けられた第１面３１ａと、該第１面３１ａとは反対側に位置した第２面３１ｂとを有する。コネクタカバー６１は、基板３１の第２面３１ｂに掛かる掛かり部６６を有する。
【００５７】
このような構成によれば、機械的固定によってコネクタカバー６１が基板３１に固定される。このため、本実施形態のコネクタカバー６１は、例えば接着剤や両面テープを用いる場合に比べて、経年変化が少なく、長期信頼性を確保しやすい。また本実施形態のコネクタカバー６１は、基板３１のいずれの位置にも取り付け可能であるため、液晶パネル１２の画面サイズの変更に柔軟に対応することができる。
【００５８】
本実施形態では、コネクタカバー６１は、反射シート２４の穴５２に通されてコネクタ４１を覆う第１部分（例えばカバー部６２）と、基板３１の第１面３１ａに沿って延びて前記第１部分と穴５２の内周縁との間の隙間ｇを前記表示パネルとは反対側から覆う第２部分（例えばベース部６３）とを有する。このような構成によれば、カバー部６２と穴５２の内周縁との間の隙間ｇを反射率が高い素材で覆うことができるので、表示画面１２ａに暗部が生じることをさらに抑制することができる。これにより、テレビジョン受像機１の画質をさらに向上させることができる。
【００５９】
本実施形態では、コネクタカバー６１は、ケーブル４２の端部４２ａを覆う。このような構成によれば、ケーブル４２の端部４２ａに対応した部分でも表示画面１２ａに暗部が生じることを抑制することができる。これにより、テレビジョン受像機１の画質をさらに向上させることができる。
【００６０】
本実施形態では、コネクタカバー６１は、基板３１の幅よりも大きい。コネクタカバー６１は、基板３１を外れた位置で前記表示パネルとは反対側に開口してケーブル４２が通される開口部６７を有する。このような構成によれば、コネクタカバー６１に覆われた状態でケーブル４２を必要な場所に引き出すことができる。これにより、ケーブル４２に対応した部分で表示画面１２ａに暗部が生じることをさらに抑制することができる。
【００６１】
本実施形態では、コネクタカバー６１の反射率は、コネクタ４１の反射率よりも高い。このような構成によれば、表示画面１２ａに暗部が生じることをさらに抑制することができる。これにより、テレビジョン受像機１の画質をさらに向上させることができる。
【００６２】
本実施形態では、テレビジョン受像機１は、前記発光モジュールの背後に位置した金属部材（例えばバックシャーシ１７）をさらに備える。前記金属部材は、基板３１を支持する支持部３５を有する。基板３１は、支持部３５が掛かる非導体パターン部（例えば受け部３６）を有する。コネクタ４１は、前記複数の発光部の一つと前記非導体パターン部との間に位置する。このような構成によれば、ＬＥＤバー２３の空いている領域を有効利用してコネクタ４１を表示画面１２ａの裏側に配置することができる。
【００６３】
次に、本実施形態の一つの変形例について説明する。  
図１１に示すように、バックシャーシ１７は、基板３１に向いて突出した位置決め用の突起８１（第１係合部）を有する。バックシャーシ１７は、「保持部材」の一例である。基板３１は、突起８１が通される位置決め孔８２（第２係合部）を有する。基板３１は、突起８１が位置決め孔８２に差し込まれることで位置決めされる。本実施形態では、コネクタ４１は、ＬＥＤ３２と位置決め孔８２との間に位置する。なお、上記構成に代えて、基板３１に突起８１を設け、バックシャーシ１７に位置決め孔８２を設けてもよい。
【００６４】
このような構成によれば、ＬＥＤバー２３の空いている領域を有効利用してコネクタ４１を表示画面１２ａの裏側に配置することができる。
【００６５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００６６】
例えば、コネクタカバー６１の形状は、上記のものに限られず、種々の形状が適宜採用可能である。コネクタカバー６１は、ベース部６３を有さずに、カバー部６２だけで構成されてもよい。コネクタカバー６１は、例えばねじ、両面テープまたは接着剤のような固定材で基板３１に固定されてもよい。コネクタカバー６１は、合成樹脂製に限られるものではない。
【符号の説明】
【００６７】
ｇ…隙間、１…テレビジョン受像機、１１ａ…開口部、１２…液晶パネル、１２ａ…表示画面、１７…バックシャーシ、２１…筐体、２３…ＬＥＤバー、２４…反射シート、３１…基板、３１ａ…第１面、３１ｂ…第２面、３２…ＬＥＤ、３３…配線パターン、３５…支持部、３６…受け部、４１…コネクタ、４２…ケーブル、４２ａ…ケーブルの端部、５１，５２…穴、６１…コネクタカバー、６２…カバー部、６３…ベース部、６６…掛かり部、６７…開口部、８１…突起、８２…位置決め孔。
【図１】
2015072373.tif 000003
【図２】
2015072373.tif 000004
【図３】
2015072373.tif 000005
【図４】
2015072373.tif 000006
【図５】
2015072373.tif 000007
【図６】
2015072373.tif 000008
【図７】
2015072373.tif 000009
【図８】
2015072373.tif 000010
【図９】
2015072373.tif 000011
【図１０】
2015072373.tif 000012
【図１１】
2015072373.tif 000013